(57)【要約】【課題】導光板の光導入部に傾斜面を有する面光源装置において、傾斜面に形成された指向性変換パターンから光が漏れにくくする。【解決手段】導光板３３は、導光板本体３５と導光板本体３５よりも厚みの薄い光導入部３４を備える。光導入部３４には、光導入部３４の上面から導光板本体３５に向けて傾斜した傾斜面３６が形成される。傾斜面３６は、光入射端面４０の中央部の前方に位置し、導光板３３の厚み方向から見て平均の法線方向が光入射端面４０に垂直な方向を向いた主傾斜面３６ａと、主傾斜面３６ａの両側に位置し、導光板３３の厚み方向から見て平均の法線方向が導光板３３内側へ向けて傾いた側部傾斜面３３ｂ、３３ｃとからなる。傾斜面３６ａ、３６ｂ及び３６ｃには、Ｖ溝状をしたパターン素子３８からなる指向性変換パターン３７が形成されている。【選択図】図２
2014127369.tif 000002
【特許請求の範囲】
【請求項１】
端面から入射した光を閉じ込めるための光導入部と、
前記光導入部の最大厚みよりも小さな厚みで、前記光導入部と連続するように設けられていて入射した光を光出射面から外部へ出射させるようにした導光板本体と、
前記光導入部は、光出射側の面とその反対面のうち少なくとも一方の面に、前記導光板本体よりも厚みの大きな部分の表面から前記導光板本体に向けて傾斜した傾斜面とを備え、
前記傾斜面は、前記端面に対向させて配置された光源の前方に位置し、厚み方向から見て平均の法線方向が前記端面に垂直な方向を向いた主傾斜面と、前記主傾斜面の両側に位置し、厚み方向から見て平均の法線方向が前記主傾斜面側へ傾いた側部傾斜面とからなり、
前記主傾斜面及びその両側の側部傾斜面に指向性変換パターンを形成されたことを特徴とする導光板。
【請求項２】
前記側部傾斜面は、前記主傾斜面と連続するように形成されていることを特徴とする、請求項１に記載の導光板。
【請求項３】
前記指向性変換パターンは、それぞれ直線状に延在したパターン素子の配列であることを特徴とする、請求項１に記載の導光板。
【請求項４】
前記側部傾斜面に形成された前記指向性変換パターンを構成する前記パターン素子は、左右非対称な断面形状を有することを特徴とする、請求項３に記載の導光板。
【請求項５】
前記側部傾斜面の指向性変換パターンは、稜線と谷線が交互に並んでいて前記稜線と前記谷線の間に斜面が形成され、
隣接する前記斜面のうち、外向き法線がパターン素子配列方向に垂直な方向よりも導光板の内側を向いた斜面の、パターン素子配列方向に平行な幅が、外向き法線がパターン素子配列方向に垂直な方向よりも導光板の外側を向いた斜面の、パターン素子配列方向に平行な幅よりも狭いことを特徴とする、請求項４に記載の導光板。
【請求項６】
前記主傾斜面に形成された前記指向性変換パターンを構成する前記パターン素子は、左右非対称な断面形状を有することを特徴とする、請求項３に記載の導光板。
【請求項７】
前記主傾斜面の指向性変換パターンは、稜線と谷線が交互に並んでいて前記稜線と前記谷線の間に斜面が形成され、
隣接する前記斜面のうち、外向き法線が導光板の内側を向いた斜面の、パターン素子配列方向に平行な幅が、外向き法線が導光板の外側を向いた斜面の、パターン素子配列方向に平行な幅よりも広いことを特徴とする、請求項６に記載の導光板。
【請求項８】
厚み方向から見て、前記側部傾斜面の上端縁と下端縁とが前記端面に対して傾斜していることを特徴とする、請求項１に記載の導光板。
【請求項９】
厚み方向から見て、前記側部傾斜面の上端縁が前記端面に対して傾斜し、前記側部傾斜面の下端縁が前記端面に平行となっていることを特徴とする、請求項１に記載の導光板。
【請求項１０】
厚み方向から見て、前記側部傾斜面の上端縁が前記端面に平行となり、前記側部傾斜面の下端縁が前記端面に対して傾斜していることを特徴とする、請求項１に記載の導光板。
【請求項１１】
請求項１から１０のいずれか１項に記載した導光板と、
前記導光板における前記光導入部の前記端面に光を送り込むための光源と、
を備えた面光源装置。
【請求項１２】
請求項１から１０のいずれか１項に記載した導光板と、
前記導光板における前記光導入部の前記端面に光を送り込むための光源と、
前記導光板の前記光出射面に対向させて配置した液晶パネルと、
を備えた液晶表示装置。
【請求項１３】
請求項１２に記載した液晶表示装置を備えたモバイル機器。
【発明の詳細な説明】
【技術分野】
【０００１】
本発明は導光板及び面光源装置に関し、具体的には、光源の高さよりも薄い導光板に光を効率よく入射させるための面光源装置や導光板などに関するものである。
【背景技術】
【０００２】
近年、面光源装置を組み込むモバイル機器の薄型化に伴い、面光源装置もますます薄型化が要求されている。面光源装置を薄型化するためには、導光板の厚みを薄くすることが必要になる。しかし、平板状をした導光板の厚みを薄くできたとしても、ＬＥＤからなる光源の高さを小さくすることには限界がある。そのため、平板状をした薄い導光板を用いた場合には、光源の高さが導光板の端面（光入射端面）の厚みよりも大きくなり、導光板の光入射端面に対向させて配置した光源が導光板の上面よりも上に飛び出ることになる。こうして光源が導光板よりも上に飛び出ていると、光源から出射した光がすべて導光板の光入射端面に入らず、一部が外部へ漏れてしまって光利用効率が悪くなる。
【０００３】
図１（Ａ）は、上記のような不具合を解消することを目的とした従来の面光源装置を模式的に表した斜視図である。図１（Ａ）の面光源装置１１は、光源１２と導光板１３からなり、光源１２は導光板１３の光入射端面１９に対向配置されている。導光板１３は、ほぼ均一な厚みを有する導光板本体１５とくさび状をした光導入部１４を一体に形成したものである。光導入部１４の上面には傾斜面１６が形成されており、傾斜面１６には複数本のＶ溝１８からなる指向性変換パターン１７（光漏れ防止パターン）が形成されている。光導入部１４の端面（光入射端面１９）の厚みは、光源１２の高さよりも大きくなっている。このような構造の導光板を用いた面光源装置としては、たとえば特許文献１に開示されたものがある。
【０００４】
この面光源装置１１では、光源１２から出射した光は光入射端面１９から光導入部１４内に入射する。光導入部１４の端面（光入射端面１９）の厚みは、光源１２の高さよりも大きくなっているので、光源１２から出射した光は効率良く光導入部１４に取り込まれる。光導入部１４内に入った光は、光導入部１４の上面（傾斜面１６）又は下面で反射して導光板本体１５へ導びかれ、導光板本体１５の光出射面２０から外部へ出射される。
【０００５】
このとき、傾斜面１６が平坦であると、光導入部１４内に入った光の一部は、傾斜面１６で反射されないで、傾斜面１６を透過して外部へ漏れる恐れがある。そのため、この面光源装置１１では、傾斜面１６に指向性変換パターン１７を設けることにより、傾斜面１６からの光漏れを少なくしている。すなわち、面光源装置１１では、図１（Ｂ）に示すようなＶ溝１８を傾斜面１６に設けているので、実線矢印で示す光ＬのようにＶ溝１８に入射する光の入射角が大きくなってＶ溝１８で反射され、光Ｌが傾斜面１６から漏れにくくなる。この結果、このような構造の面光源装置１１によれば、光利用効率の向上と面光源装置の薄型化とを両立させることができる。
【０００６】
しかしながら、複数のＶ溝１８からなる指向性変換パターン１７を傾斜面１６に設けている場合でも、図１（Ｂ）に示すように、傾斜面１６から光漏れが発生する（光導入部１４に入った光Ｌのうち、外部へ漏れる光を破線の矢印で示す。）。図１（Ｂ）は、発光中心１２ａから出射した光強度の高い光Ｌの挙動を表す模式図である。発光中心１２ａから出射した光のうち、発光中心１２ａからほぼ前方へ向けて出射された光Ｌは、実線の矢印で示すように中心面Ｃ（光源の発光中心Ｃを通り、光入射端面１９及び光出射面２０に垂直な平面を中心面Ｃと呼ぶことにする。）の方向を向いた溝斜面１８ａでも中心面Ｃと反対方向を向いた溝斜面１８ｂでも反射され、傾斜面１６から漏れにくい。これに対し、面光源装置１１では、図１（Ｂ）に示すように、指向性変換パターン１７は、左右対称な断面形状を有する同じ形状のＶ溝を繰り返し配列されているので、発光中心１２ａから斜めに出射される光Ｌは、破線の矢印で示すように外部へ漏れやすい。すなわち、指向性変換パターン１７に入射する位置が中心面Ｃから遠くなると、それにつれて光Ｌは法線が中心面Ｃと反対側を向いた溝斜面１８ｂに対して次第に垂直に近い角度で入射するようになり、溝斜面１８ｂから漏れやすい。
【先行技術文献】
【特許文献】
【０００７】
【特許文献１】特開２００６−１７１２５３号公報
【発明の概要】
【発明が解決しようとする課題】
【０００８】
本発明の目的とするところは、導光板の光導入部に傾斜面を有する面光源装置において、傾斜面に形成された指向性変換パターンから光が漏れにくくすることにある。
【課題を解決するための手段】
【０００９】
本発明に係る導光板は、端面から入射した光を閉じ込めるための光導入部と、前記光導入部の最大厚みよりも小さな厚みで、前記光導入部と連続するように設けられていて入射した光を光出射面から外部へ出射させるようにした導光板本体と、前記光導入部は、光出射側の面とその反対面のうち少なくとも一方の面に、前記導光板本体よりも厚みの大きな部分の表面から前記導光板本体に向けて傾斜した傾斜面とを備え、前記傾斜面は、前記端面に対向させて配置された光源の前方に位置し、厚み方向から見て平均の法線方向が前記端面に垂直な方向を向いた主傾斜面と、前記主傾斜面の両側に位置し、厚み方向から見て平均の法線方向が前記主傾斜面側へ傾いた側部傾斜面とからなり、前記主傾斜面及びその両側の側部傾斜面に指向性変換パターンを形成されたことを特徴としている。ここで、前記側部傾斜面は、前記主傾斜面と連続するように形成されていることが好ましい。また、前記指向性変換パターンは、それぞれ直線状に延在したパターン素子の配列であることが好ましい。
【００１０】
本発明の導光板においては、主傾斜面の両側に、厚み方向から見て平均の法線方向が主傾斜面側へ傾いた側部傾斜面を設け、主傾斜面及びその両側の側部傾斜面に指向性変換パターンを形成しているので、導光板の側面近傍における傾斜面からの光漏れを少なくできる。
【００１１】
本発明に係る導光板のある実施態様では、前記側部傾斜面に形成された前記指向性変換パターンを構成する前記パターン素子は、左右非対称な断面形状を有している。具体的には、前記側部傾斜面の指向性変換パターンが、稜線と谷線が交互に並んでいて前記稜線と前記谷線の間に斜面が形成され、隣接する前記斜面のうち、外向き法線がパターン素子配列方向に垂直な方向よりも導光板の内側を向いた斜面の、パターン素子配列方向に平行な幅が、外向き法線がパターン素子配列方向に垂直な方向よりも導光板の外側を向いた斜面の、パターン素子配列方向に平行な幅よりも狭くなっていることが望ましい。かかる実施態様によれば、導光板の側面近傍における傾斜面からの光漏れをより一層少なくできる。
【００１２】
本発明に係る導光板の別な実施態様では、前記主傾斜面に形成された前記指向性変換パターンを構成する前記パターン素子は、左右非対称な断面形状を有している。具体的には、前記主傾斜面の指向性変換パターンが、稜線と谷線が交互に並んでいて前記稜線と前記谷線の間に斜面が形成され、隣接する前記斜面のうち、外向き法線が導光板の内側を向いた斜面の、パターン素子配列方向に平行な幅が、外向き法線が導光板の外側を向いた斜面の、パターン素子配列方向に平行な幅よりも広くなっていることが望ましい。かかる実施態様によれば、光源の前方領域における傾斜面からの光漏れをより少なくできる。
【００１３】
両側を折り曲げられた傾斜面の構造としては、たとえば厚み方向から見て、前記側部傾斜面の上端縁と下端縁とが前記端面に対して傾斜したものでもよい。また、厚み方向から見て、前記側部傾斜面の上端縁が前記端面に対して傾斜し、前記側部傾斜面の下端縁が前記端面に平行となっていてもよい。また、厚み方向から見て、前記側部傾斜面の上端縁が前記端面に平行となり、前記側部傾斜面の下端縁が前記端面に対して傾斜していてもよい。
【００１４】
本発明に係る面光源装置は、本発明に係る導光板と、前記導光板における前記光導入部の前記端面に光を送り込むための光源とを備えたことを特徴とする。本発明に係る面光源装置にあっては、本発明に係る導光板を用いているので、傾斜面からの光漏れを少なくでき、光出射面の輝度を向上させることができる。
【００１５】
本発明に係る導光板は、液晶表示装置に用いることができ、面光源装置の光利用効率を向上させることで液晶表示装置の画面を明るくすることができる。
【００１６】
また、本発明に係る液晶表示装置は、スマートフォンやタブレット型コンピュータ、電子ブックリーダー、電子辞書などのモバイル機器にも用いることができる。
【００１７】
なお、本発明における前記課題を解決するための手段は、以上説明した構成要素を適宜組み合せた特徴を有するものであり、本発明はかかる構成要素の組合せによる多くのバリエーションを可能とするものである。
【図面の簡単な説明】
【００１８】
【図１】図１（Ａ）は、従来の面光源装置の一例を示す斜視図である。図１（Ｂ）は、図１（Ａ）の面光源装置の指向性変換パターンに入射する光の挙動を説明する概略図である。
【図２】図２（Ａ）は、本発明の実施形態１による面光源装置の斜視図である。図２（Ｂ）は、図２（Ａ）の面光源装置の一部破断した平面図である。
【図３】図３（Ａ）は、図２（Ａ）の面光源装置の、傾斜面の指向性変換パターンを除いて示した斜視図である。図３（Ｂ）は、図２（Ａ）の面光源装置における指向性パターンの各部分の断面形状を示す図である。
【図４】図４は、光源から見て正面に位置する指向性変換パターンに入射した光の挙動を説明する概略図である。
【図５】図５（Ａ）は、光源から見て右側に位置する指向性変換パターンに入射した光の挙動を説明する概略図である。図５（Ｂ）は、比較例の指向性変換パターンに入射した光の挙動を説明する概略図である。
【図６】図６（Ａ）、図６（Ｂ）及び図６（Ｃ）は、図２（Ａ）の面光源装置における、指向性変換パターンの異なる断面形状を示す図である。
【図７】図７（Ａ）は、本発明の実施形態２による面光源装置の斜視図である。図７（Ｂ）は、図７（Ａ）の面光源装置の一部破断した平面図である。
【図８】図８は、図７（Ａ）の面光源装置の、傾斜面の指向性変換パターンを除いて示した斜視図である。
【図９】図９（Ａ）は、本発明の実施形態３による面光源装置の斜視図である。図９（Ｂ）は、図９（Ａ）の面光源装置の一部破断した平面図である。
【図１０】図１０は、図９（Ａ）の面光源装置の、傾斜面の指向性変換パターンを除いて示した斜視図である。
【図１１】図１１は、本発明の実施形態４による面光源装置の斜視図である。
【図１２】図１２は、本発明に係る液晶表示装置を示す概略断面図である。
【図１３】図１３は、本発明に係るモバイル機器を示す概略正面図である。
【発明を実施するための形態】
【００１９】
以下、添付図面を参照しながら本発明の好適な実施形態を説明する。但し、本発明は以下の実施形態に限定されるものでなく、本発明の要旨を逸脱しない範囲において種々設計変更することができる。
【００２０】
（実施形態１）
図２（Ａ）、図２（Ｂ）、図３（Ａ）及び図３（Ｂ）を参照して本発明の実施形態１による面光源装置の構造を説明する。図２（Ａ）及び図２（Ｂ）は、本発明の実施形態１による面光源装置３１の斜視図及び一部破断した平面図である。図３（Ａ）は、面光源装置３１の、傾斜面３６の指向性変換パターン３７を除いて示した斜視図である。すなわち、図３（Ａ）は、図２（Ａ）の面光源装置３１において、指向性変換パターン３７をその稜線に接する平面（包絡面）で置き換えた斜視図である。図３（Ｂ）は、面光源装置３１に形成された指向性変換パターン３７の各部分（指向性変換パターン３７ａ、３７ｂ、３７ｃ）の断面形状を表した概略図である。
【００２１】
面光源装置３１は、光源３２と導光板３３からなる。光源３２は、１個又は複数個のＬＥＤを内蔵しており、正面の光出射窓から白色光を出射する。この光源３２は、点光源と呼ばれることがある。
【００２２】
導光板３３は、導光板本体３５の端部に光導入部３４を設けたものである。導光板３３は、アクリル樹脂、ポリカーボネイト樹脂（ＰＣ）、シクロオレフィン系材料、ポリメチルメタクリレート（ＰＭＭＡ）などの高屈折率の透明樹脂によって成形されている。
【００２３】
光導入部３４は、導光板３３のうちで厚みの厚い部分であって、その端面である光入射端面４０に対向させて光源３２が配置されている。光入射端面４０の厚みは、光源３２の光出射窓の高さと等しいか、それよりも厚くなっている。そのため光源３２から出射された光は光入射端面４０から光導入部３４内に効率よく入射し、面光源装置３１の光利用効率が向上する。
【００２４】
図３（Ａ）に示すように、光入射端面４０の中央部の前方、すなわち光源３２の前方領域には、光導入部３４の上面から導光板本体３５の上面に向けて下り傾斜した主傾斜面３６ａが設けられている。主傾斜面３６ａは傾斜した平面となっており、主傾斜面３６ａに立てた法線の方向は、導光板３３の厚み方向（光出射面４１に垂直な方向）から見て、光入射端面４０と垂直な方向を向いている。
【００２５】
主傾斜面３６ａの両側には、光導入部３４の上面から導光板本体３５の上面に向けて下り傾斜した側部傾斜面３６ｂ、３６ｃが設けられている。側部傾斜面３６ｂ、３６ｃは傾斜した平面となっており、側部傾斜面３６ｂ、３６ｃに立てた法線の方向は、導光板３３の厚み方向から見て、それぞれ主傾斜面３６ａ（あるいは、導光板３３の中心面Ｃ）の方向へ向けて傾いている。
【００２６】
側部傾斜面３６ｂ、３６ｃは主傾斜面３６ａと連続的に形成されている。よって、主傾斜面３６ａと左右の側部傾斜面３６ｂ、３６ｃからなる傾斜面３６は、両側を折り曲げたような形状となっている。また、傾斜面３６の上端縁が船底状に屈曲しており、光導入部３４の上面のコーナー部には光導入部３４の下面と平行な水平面３９ができている。傾斜面３６の下端縁、すなわち光導入部３４と導光板本体３５の境界も船底状に屈曲している。
【００２７】
主傾斜面３６ａには指向性変換パターン３７ａが形成されている。指向性変換パターン３７ａは、Ｖ溝状をしたパターン素子３８の配列で構成されており、稜線と谷線との間に傾斜面（溝斜面３８ａ、３８ｂ）が形成されている。各パターン素子３８は、導光板３３の厚み方向から見て、光入射端面４０に垂直な方向へ延びており、互いに平行となるようにして主傾斜面３６ａの幅方向に配列されている。図３（Ｂ）に示すように、指向性変換パターン３７ａのパターン素子３８は左右非対称な断面形状を有している。
【００２８】
側部傾斜面３６ｂ、３６ｃには指向性変換パターン３７ｂ、３７ｃが形成されている。指向性変換パターン３７ｂ、３７ｃは、Ｖ溝状をしたパターン素子３８の配列で構成されており、稜線と谷線との間に傾斜面（溝斜面３８ａ、３８ｂ）が形成されている。各パターン素子３８は、導光板３３の厚み方向から見て、光入射端面４０に垂直な方向へ延びており、互いに平行となるようにして指向性変換パターン３７ｂ、３７ｃの幅方向に配列されている。図３（Ｂ）に示すように、指向性変換パターン３７ａのパターン素子３８は左右非対称な断面形状を有している。
【００２９】
こうして、傾斜面３６の全体には、指向性変換パターン３７ａ、３７ｂ及び３７ｃからなる指向性変換パターン３７が形成されている。
【００３０】
なお、図示しないが、導光板本体３５の光出射面４１と反対面には、導光板本体３５内を導光する光を光出射面４１から出射させるための光出射手段が設けられている。光出射手段は、プリズム状パターン、サンドブラスト加工、拡散インク、回折格子パターンなどからなる（図１２参照）。また、導光板３３の下面側には、導光板３３の下面から漏れた光を導光板３３内に再入射させるための反射板が設けられている（図１２参照）。
【００３１】
つぎに、傾斜面３６における指向性変換パターン３７の働きを説明する。指向性変換パターン３７ａでは、各パターン素子３８は、その稜線に垂直な断面（以下、単に断面という。）における断面形状が左右非対称となっている。すなわち、図４に示すように、Ｖ溝状のパターン素子３８を構成する２つの溝斜面３８ａ、３８ｂにおいて、表面に立てた法線Ｎが中心面Ｃの方向を向いている溝斜面３８ａの幅Ｂａが、表面に立てた法線Ｎが中心面Ｃと反対方向を向いている溝斜面３８ｂの幅Ｓａよりも大きくなっている。
【００３２】
このため、指向性変換パターン３７ａにおける各溝斜面３８ａの面積（の合計値）の割合が大きく、各溝斜面３８ｂの面積（の合計値）の割合が小さくなる。よって、発光中心３２ａから出射した光の大部分は溝斜面３８ａで全反射され、発光中心３２ａから出射した光が溝斜面３８ｂから漏れるとしても、漏れる光量は少なくなる。
【００３３】
指向性変換パターン３７ｂ、３７ｃでも、各パターン素子３８の断面形状は左右非対称となっている。図５（Ａ）には、指向性変換パターン３７ｃを表しているが、指向性変換パターン３７ｂは、中心面Ｃに関して指向性変換パターン３７ｃと対称な形状となる。指向性変換パターン３７ｂ、３７ｃにおいては、表面に立てた法線Ｎが側部傾斜面３６ｂに立てた法線Ｍを基準として法線Ｍよりも中心面Ｃと反対方向を向いている溝斜面３８ｂの幅Ｂａが、表面に立てた法線が側部傾斜面３６ｂに立てた法線Ｍを基準として法線Ｍよりも中心面Ｃの方向を向いている溝斜面３８ａの幅Ｓａよりも大きくなっている。
【００３４】
指向性変換パターン３７ａを導光板３３の幅方向の端まで延長した場合には、図５（Ｂ）に示すように、３８ｂから光Ｌが漏れやすくなるが、図５（Ａ）のように側部傾斜面３６ｂ、３６ｃを曲げておけば光が漏れにくくなる。すなわち、光Ｌの漏れやすい溝斜面３８ａが溝斜面３８ｂに遮られ、溝斜面３８ａに光が入射しにくくなるので、光漏れが低減される。
【００３５】
本発明の面光源装置３１にあっては、上記のようにして光漏れが低減されるので、光のロスが低減し、光利用効率が向上する。
【００３６】
（変形例）
図６（Ａ）、図６（Ｂ）及び図６（Ｃ）は、指向性変換パターン３７の異なる断面形状の例を示す断面図である。図６（Ａ）では、主傾斜面３６ａに形成された指向性変換パターン３７ａは、左右対称な断面形状を有するパターン素子３８によって構成されており、側部傾斜面３６ｂ、３６ｃに形成された指向性変換パターン３７ｂ、３７ｃも、左右対称な断面形状を有するパターン素子３８によって構成されている。このような構造の指向性変換パターン３７でも、左右両側部の指向性変換パターン３７ｂ、３７ｃを傾けることにより、一方の溝斜面３８ｂに入射する光の入射角を小さくでき、他方の溝斜面３８ａに光が入射しにくくなるので、指向性変換パターン３７ｂ、３７ｃからの光の漏れを小さくすることができる。
【００３７】
図６（Ｂ）では、主傾斜面３６ａに形成された指向性変換パターン３７ａは、左右対称な断面形状を有するパターン素子３８によって構成されており、側部傾斜面３６ｂ、３６ｃに形成された指向性変換パターン３７ｂ、３７ｃは、実施形態１と同様に左右非対称な断面形状を有するパターン素子３８によって構成されている。このような構造の指向性変換パターン３７では、実施形態１と同様に、左右両側部の指向性変換パターン３７ｂ、３７ｃからの光の漏れを小さくすることができる。
【００３８】
図６（Ｃ）では、主傾斜面３６ａに形成された指向性変換パターン３７ａは、実施形態１と同様に左右非対称な断面形状を有するパターン素子３８によって構成されており、側部傾斜面３６ｂ、３６ｃに形成された指向性変換パターン３７ｂ、３７ｃは、左右対称な断面形状を有するパターン素子３８によって構成されている。このような構造の指向性変換パターン３７では、中央の指向性変換パターン３７ａからの光の漏れを小さくでき、左右両側部の指向性変換パターン３７ｂ、３７ｃからの光の漏れも小さくすることができる。
【００３９】
（実施形態２）
図７（Ａ）及び図７（Ｂ）は、本発明の実施形態２による面光源装置５１の斜視図及び一部破断した平面図である。また、図８は、面光源装置５１の、指向性変換パターン３７を除いて傾斜面３６だけを示した斜視図である。すなわち、図８は、図７（Ａ）の面光源装置３１において、指向性変換パターン３７をその稜線に接する平面（包絡面）で置き換えた斜視図である。
【００４０】
面光源装置５１でも、図８に示すように、主傾斜面３６ａの両側に側部傾斜面３６ｂ、３６ｃが設けられており、側部傾斜面３６ｂ、３６ｃに立てた平均の法線方向は、導光板３３の厚み方向から見て、それぞれ主傾斜面３６ａ（あるいは、導光板３３の中心面Ｃ）の方向へ向けて傾いている。よって、主傾斜面３６ａと左右の側部傾斜面３６ｂ、３６ｃからなる傾斜面３６は、両側を折り曲げたような形状となっている。
【００４１】
また、導光板３３の厚み方向から見て、傾斜面３６の上端縁は、直線状となっており、傾斜面３６の下端縁、すなわち光導入部３４と導光板本体３５の境界は船底状に屈曲している。この場合には、側部傾斜面３６ｂ、３６ｃは平面であってもよく、捻れた曲面であってもよい。
【００４２】
このような面光源装置５１にあっても、傾斜面３６の両側部からの光漏れを低減させることができる。
【００４３】
なお、主傾斜面３６ａや側部傾斜面３６ｂ、３６ｃに設けられた指向性変換パターン３７ａ、３７ｂ、３７ｃの構造は、実施形態１又はその変形例と同様である（図４−図６参照）。
【００４４】
（実施形態３）
図９（Ａ）及び図９（Ｂ）は、本発明の実施形態３による面光源装置６１の斜視図及び一部破断した平面図である。また、図１０は、面光源装置６１の、指向性変換パターン３７を除いて傾斜面３６だけを示した斜視図である。
【００４５】
面光源装置６１でも、図１０に示すように、主傾斜面３６ａの両側に側部傾斜面３６ｂ、３６ｃが設けられており、側部傾斜面３６ｂ、３６ｃに立てた平均の法線方向は、導光板３３の厚み方向から見て、それぞれ主傾斜面３６ａ（あるいは、導光板３３の中心面Ｃ）の方向へ向けて傾いている。よって、主傾斜面３６ａと左右の側部傾斜面３６ｂ、３６ｃからなる傾斜面３６は、両側を折り曲げたような形状となっている。
【００４６】
また、導光板３３の厚み方向から見て、傾斜面３６の上端縁は、船底状に屈曲しており、傾斜面３６の下端縁、すなわち光導入部３４と導光板本体３５の境界は直線状と成っている。この場合にも、側部傾斜面３６ｂ、３６ｃは平面であってもよく、捻れた曲面であってもよい。
【００４７】
このような面光源装置６６６６６１にあっても、傾斜面３６の両側部からの光漏れを低減させることができる。
【００４８】
なお、実施形態３においても、主傾斜面３６ａや側部傾斜面３６ｂ、３６ｃに設けられた指向性変換パターン３７ａ、３７ｂ、３７ｃの構造は、実施形態１又はその変形例と同様である（図４−図６参照）。
【００４９】
（実施形態４）
図１１は、本発明の実施形態４による面光源装置７１を示す斜視図である。この面光源装置７１では、１枚の導光板３３に対して複数個の光源３２が用いられている。すなわち、導光板３３の光入射端面４０に対向させて、複数個の光源３２が一定ピッチ毎に配置されている。また、導光板３３には、各光源３２に対向させて傾斜面３６と指向性変換パターン３７が形成されている。このような実施形態によれば、大面積の照明領域を有する面光源装置を作製することができる。なお、面光源装置７１の基本となる導光板構造は、上記各実施形態のいずれの導光板であってもよい。
【００５０】
（実施形態５）
図１２は、本発明の面光源装置（例えば、実施形態１の面光源装置３１）を用いた液晶表示装置８１の概略断面図である。この液晶表示装置８１は、導光板３３の光出射面側に対向させて拡散板８２、プリズムシート８３及び液晶パネル８４を重ねてあり、導光板３３の裏面側に反射シート８５を配置している。このような液晶表示装置８１によれば、本発明の面光源装置の特徴を生かすことができ、液晶表示装置８１の光利用効率を向上させて画面を見やすくできると共に液晶表示装置８１の薄型化を図ることができる。
【００５１】
（実施形態６）
図１３は、本発明の面光源装置又は液晶表示装置を用いたモバイル機器、すなわちスマートフォン９１の平面図であって、正面にはタッチパネル付き液晶表示装置９２を備えている。このようなスマートフォン９１に本発明の面光源装置を用いれば、面光源装置の光利用効率を向上させ、液晶表示装置９２の輝度を高くすることができる。また、本発明の面光源装置はスマートフォンなどの携帯電話以外にも、タブレット型コンピュータ、電子辞書、電子ブックリーダーなどのモバイル機器にも適用できる。
【符号の説明】
【００５２】
３１、５１、６１、７１      面光源装置
３２      光源
３３      導光板
３４      光導入部
３５      導光板本体
３６      傾斜面
３６ａ      主傾斜面
３６ｂ、３６ｃ      側部傾斜面
３７、３７ａ、３７ｂ、３７ｃ      指向性変換パターン
３８      パターン素子
３８ａ、３８ｂ      溝斜面
４０      光入射端面
４１      光出射面
８１      液晶表示装置
８４      液晶パネル
９１      スマートフォン
【図１】
2014127369.tif 000003
【図２】
2014127369.tif 000004
【図３】
2014127369.tif 000005
【図４】
2014127369.tif 000006
【図５】
2014127369.tif 000007
【図６】
2014127369.tif 000008
【図７】
2014127369.tif 000009
【図８】
2014127369.tif 000010
【図９】
2014127369.tif 000011
【図１０】
2014127369.tif 000012
【図１１】
2014127369.tif 000013
【図１２】
2014127369.tif 000014
【図１３】
2014127369.tif 000015